(57)【特許請求の範囲】
【請求項１】
複数のレーザーと、
１つのレーザー距離計と、
を備える複合レーザーシステムであって、
前記レーザーはキロワットレーザーであり、前記レーザー距離計は、対象物体までの距離を決定し、測距結果に従って前記複数のレーザーの焦点を制御するように構成され、
前記レーザーの各々の光学系は、１つのビーム拡大器を含み、前記ビーム拡大器は１つの主レンズ及び１つ補助レンズを有し、前記レーザーから放出されたレーザー光線は、前記補助レンズを通って伝播し、その後、前記主レンズを通って伝播し、前記レーザー距離計は、前記レーザーの前記ビーム拡大器に電気的に接続されて、前記ビーム拡大器の焦点調整を前記レーザー距離計の測距結果に関連付けすることができ、
前記レーザー距離計の光学系は、前記レーザーによって採用された前記ビーム拡大器と同じビーム拡大器を採用する、
複合レーザーシステム。
【請求項２】
前記ビーム拡大器の入射直径は５ミリメートルであり、前記ビーム拡大器の出射直径は５０ミリメートルであり、Ｂ＝１０倍である、請求項１に記載の複合レーザーシステム。
【請求項３】
前記複数のレーザーの数は１２である、請求項１に記載の複合レーザーシステム。
【請求項４】
前記複数のレーザーは、１つの平面上に配置されるか又は１つの曲面上に配置される、請求項１に記載の複合レーザーシステム。
【請求項５】
前記複数のレーザーは、１つの円に沿って配置される、請求項１に記載の複合レーザーシステム。
【発明の詳細な説明】
【技術分野】
【０００１】
本開示は光学分野に、より具体的には、レーザー及び長距離ビーム拡大器を利用するレーザーの分野に関する。
【背景技術】
【０００２】
現在、レーザーは、様々な分野にわたって応用され、軍用兵器において、長距離高出力レーザーが採用されており、マクロエネルギー及び高出力は、遠い目的物を破壊するために使用され、長距離高出力レーザーはレーザー砲として知られている。レーザー砲に関する研究は半世紀以上続いている。現在、特定の段階的成果が得られているが、解決できない多くの問題がある。主な問題は、例えば長距離伝送に起因して、非常に高出力のレーザーが必要であり、例えば十キロワットから数百キロワットのレーザーが必要である。そのような非常に高出力のレーザーにおいて、製造上、例えばレーザーを製造するための原材料、レーザー用の様々のプラットフォーム、及びレーザーに供給する電力といった多くの問題に直面し、これら全ては解決することができない問題である。一部の高出力レーザーは、容積及び重量によっては移動が困難である。従って、適応性を欠いており用途が限定される。
【発明の概要】
【発明が解決しようとする課題】
【０００３】
従って、複合レーザーシステムが長距離高出力伝送に適応し、かつ製造及び移動の観点で改善されるように、上記の問題点を解決する複合レーザーシステムを提供することが必要である。
【課題を解決するための手段】
【０００４】
複合レーザーシステムは、複数のレーザーと、１つのレーザー距離計とを備え、レーザーはキロワットレーザーであり、レーザー距離計は、対象物体までの距離を決定し、測距結果に従って複数のレーザーの焦点を制御するように構成される。
【０００５】
１つの実施形態によれば、各レーザーの光学系は、１つのビーム拡大器を含み、ビーム拡大器は１つの主レンズ及び１つの補助レンズを有し、レーザーから放出されたレーザー光線は、補助レンズを通って伝播し、その後、主レンズを通って伝播し、レーザー距離計は、レーザーのビーム拡大器に電気的に接続されて、ビーム拡大器の焦点調整をレーザー距離計の測距結果に関連付けることができる。
【０００６】
１つの実施形態によれば、ビーム拡大器のΦ入は５ミリメートルであり、ビーム拡大器のΦ出は５０ミリメートルであり、Ｂ＝１０倍である。
【０００７】
１つの実施形態によれば、レーザー距離計の光学系は、レーザーによって採用されたビーム拡大器と同じビーム拡大器を採用する。
【０００８】
１つの実施形態によれば、複数のレーザーの数は１２である。
【０００９】
１つの実施形態によれば、複数のレーザーは、１つの平面上に配置されるか又は１つの曲面上に配置される。
【００１０】
１つの実施形態によれば、複数のレーザーは、１つの円に沿って配置される。
【００１１】
本開示では、１０キロワットのレーザーのような高出力レーザーは、複数のキロワットレーザーを組み合わせることによって実現でき、レーザーは、レーザー距離計を使用することによって、離れた対象物体上に自動的に合焦することができ、結果的に、高出力レーザーの製造及び搭載プラットフォームのような観点での不都合な問題を解決し、小型のレーザーは輸送が容易であり、高度に自動化されたレーザー砲として使用するのに適する。
【図面の簡単な説明】
【００１２】
【図１】実施形態による複合レーザーシステムの部分的なデバイスの側面図である。
【図２】実施形態による複合レーザーシステムの長距離射程ビーム拡大器の側面図である。
【図３】図２のビーム拡大器の変調伝達関数Ｍ．Ｔ．Ｆ特性を示すグラフィック図である。
【図４】図２のビーム拡大器の点広がり関数を示すグラフィック図である。
【図５】図２のビーム拡大器の幾何形状収差を示すグラフィック図である。
【発明を実施するための形態】
【００１３】
以下、本発明の実施形態は、本発明の好ましい実施形態を示した添付図面を参照してより完全に説明される。しかしながら、本発明の様々な実施形態は、様々な異なる態様で具体化することができ、本明細書に記載された実施形態に限定して解釈すべきではない。むしろ、これらの実施形態は、この本発明が完全になり完成するように提示され、当業者に本発明の範囲を十分に伝えることになる。
【００１４】
要素が別の要素に「固定される」と言及される場合、要素を別の要素に直接固定することができ、又は介在する要素が存在することができることを理解されたい。要素が別の要素に「結合される」又は「連結される」と言及される場合、要素は別の要素に直接結合又は連結することができ、又は介在する要素が存在することができる。
【００１５】
別段の定めがない限り、本明細書で用いる全ての用語は、本発明の技術分野に属する技術者によって理解される通常の意味と同じ意味を有する。本明細書で用いる用語は、特定の実施形態を説明するだけの目的であり、本発明を限定することは意図しない。本明細書で用いられる場合、用語「及び／又は」は、１又は２以上の関連する列挙された要素のありとあらゆる組み合わせを含む。
【００１６】
図１及び図２は、本開示の１つの実施形態によって提示される複合レーザーシステムの側面図を示す。複合レーザーシステムは、複数のレーザー１０と、１つのレーザー距離計１３とを含む。
【００１７】
レーザー１０はキロワットレーザーである。キロワットレーザー１０は、レーザー及びプラットフォームフレームワークの製造を容易に実行できるように選択され、レーザーは小容量で輸送が容易である。レーザー１０は、化学レーザー及び固体レーザーのようなレーザーとすることができる。１つの特定の実施形態において、レーザー１０の数は１２であり、複数のレーザーは、１つの平面上に配置することができ、１つの曲面上に配置することもでき、もしくは複数のレーザーは、異なる三次元形状に配置される。１つの特定の実施形態において、１２個のレーザー１０は１つの円に沿って配置される。レーザー１０は、レーザーを放出して対象物体に打撃を与えるように構成される。
【００１８】
レーザー距離計１３は、１つの高速レーザー距離計である。レーザー距離計１３は、対象物体までの距離を決定し、レーザー１０の焦点距離を制御するように構成され、レーザー１０は対象物体に打撃を与えることが可能である。
【００１９】
レーザー距離計１３は、レーザー１０と同様の構造とすることができ、レーザー距離計１３は同様にレーザーである。しかしながら、システムでは、レーザー距離計１３は、対象物体に打撃を与えるのではなく、対象物体を測距する機能をもたらす。
【００２０】
レーザー１０及びレーザー距離計１３の機能は、正確な光学系なしには実現できない。図２に示すように、１つの実施形態において、レーザー１０の光学系は、１つのビーム拡大器を含む。ビーム拡大器は、レーザー１０から放出されたレーザー光線を拡大することができる長距離ビーム拡大器である。本開示において、１つのビーム拡大器が１つのレーザー１０に対応し、レーザー距離計１３は、レーザー１０のビーム拡大器に電気的に接続され、ビーム拡大器の焦点調整をレーザー距離計１３の測距結果に関連付けるようになっており、これにより、レーザー距離計１３、レーザー１０、及びビーム拡大器の統合がもたらされる。
【００２１】
ビーム拡大器は、１つの主レンズ２１及び１つの補助レンズ２２を含む。レーザー１０から放出されたレーザー光線は、補助レンズ２２を通って伝播し、その後、主レンズ２１を通って伝播する。ビーム拡大器の発散角度は、様々な距離での合焦に適するように調整することができる。１つの実施形態において、ビーム拡大器の入射直径Φ入は５ミリメートルであり、ビーム拡大器の出射直径Φ出は５０ミリメートルであり、Ｂ＝１０倍である。
【００２２】
ビーム拡大器の変調伝達関数Ｍ．Ｔ．Ｆ特性を示すグラフィック図である図３に示すように、解像度が１００線対に達する場合、Ｍ．Ｔ．Ｆは、依然として０．７よりも大きい。
【００２３】
ビーム拡大器の点広がり関数を示すグラフィック図である図４に示すように、結果は非常に良好である。
【００２４】
ビーム拡大器の幾何学的収差を示すグラフィック図である図５に示すように、分散円は比較的小さく、全領域でΔｄ≦１μｍである。
【００２５】
１つの実施形態において、前述したビーム拡大器は、レーザー距離計１３の光学系にも適用することができる。
【００２６】
本開示の複合レーザーシステムを使用する場合、レーザー距離計１３は、対象物体までの測距を行うために使用され、レーザー１０は対象物体上で合焦して対象物体にレーザーを放出するように制御され、対象物体への射撃が実現される。レーザー距離計１３は、対象物体までの測距を種々の距離で行ない、レーザー１０の合焦を自動的に行なうことができるので、種々の距離での対象物体への射撃を実現する。
【００２７】
本開示において、１０キロワットのレーザーのような高出力レーザーは、複数のキロワットレーザー１０を組み合わせることによって実現でき、レーザー１０は、レーザー距離計１３を使用することによって、離れた対象物体上に自動的に合焦することができ、結果的に、高出力レーザーの製造及び搭載プラットフォームのような観点での不都合な問題を解決し、小型のレーザーは輸送が容易であり、高度に自動化されたレーザー砲として使用するのに適する。
【００２８】
以上は、詳しく説明された本発明のいくつかの実施形態であり、本発明の範囲に対する限定とみなすべきではない。当業者には本発明の精神及び範囲から逸脱することなく変更及び改善が明らかであることに留意されたい。従って、本発明の範囲は、添付した特許請求の範囲によって定まる。
【符号の説明】
【００２９】
１０  レーザー
１３  レーザー距離計
２１  主レンズ
２２  補助レンズ
【図１】
0006359768.tif 000002
【図２】
0006359768.tif 000003
【図３】
0006359768.tif 000004
【図４】
0006359768.tif 000005
【図５】
0006359768.tif 000006